(57)【特許請求の範囲】
【請求項１】
第１および第２の伝送路を介して互いに接続された第１の通信装置と第２の通信装置を備え、前記第１の通信装置は、前記第２の伝送路を介して前記第２の通信装置からの信号を受信し、前記第２の通信装置は、前記第１の伝送路を介して、前記第１の通信装置からの信号を受信するとともに、予め定められた補償値を用いた補償動作を行って前記第１の通信装置へ信号を送信するよう構成された通信システムにおいて、
前記第１の通信装置は、
前記第２の通信装置から前記第１の通信装置への信号の入力断を検出する入力断検出手段と、
前記入力断検出手段により入力断が検出された場合に、前記入力断を検出した旨の通知（以下、第１の通知とする）を、前記第２の通信装置に対して送信する第１の通知送信手段と、
を備え、
前記第２の通信装置は、
前記第１の通知を前記第１の伝送路を介して受信した場合、前記第１の通知を受信した旨の通知（以下、第２の通知とする）を、前記第１の通信装置に通知する第２の通知送信手段、を備えるとともに、前記第１の通知を前記第１の伝送路を介して受信した場合、前記補償値の調整を行い、前記調整を行った補償値を用いた補償動作を行って前記第１の通信装置へ信号を送信し、
前記第１の通知送信手段は、前記第１の通信装置が前記第２の通知を前記第２の伝送路を介して受信するまで、前記第２の通信装置に前記第１の通知を送信すること、
を特徴とする通信システム。
【請求項２】
前記第２の通信装置が、予め定められた分散補償値を用いた分散補償を行って、前記第１の通信装置に信号を送信する通信システムであって、
前記第１の通知送信手段は、前記第１の通知として、前記分散補償値を調整する必要がある旨の通知を送信し、
前記第２の通信装置は、前記第１の通知を受信した場合、前記分散補償値の調整を行い、前記調整した分散補償値を用いた分散補償を行って、前記第１の通信装置に信号を送信し、
前記第１の通信装置は、前記調整した分散補償値を用いた分散補償を行って送信された信号を受信した場合、当該信号に関する品質の測定結果を前記第２の通信装置に通知すること、
を特徴とする請求項１記載の通信システム。
【請求項３】
前記第２の通知送信手段は、前記第２の通知として、前記第１の通知を受信し、前記分散補償値を調整する必要があることを認識した旨の通知を送信すること、
を特徴とする請求項２記載の通信システム。
【請求項４】
前記第１の通知送信手段は、断続的または連続的に前記第１の通知を送信すること、
を特徴とする請求項１〜３のいずれか１項に記載の通信システム。
【請求項５】
前記第１の通知送信手段は、前記第２の通信装置の分散補償値の調整が必要であることを通知する調整必要情報領域を有する信号フレームを送信すること、
を特徴とする請求項２〜４のいずれか１項に記載の通信システム。
【請求項６】
前記第２の通知送信手段は、前記第２の通信装置が、前記第１の対向の通信装置から分散補償値の調整が必要であることを通知され、それを認識したことを前記第１の通信装置に通知する調整必要認識情報領域を有する信号フレームを送信すること、
を特徴とする請求項３〜５のいずれか１項に記載の通信システム。
【請求項７】
前記第１の通信装置および前記第２の通信装置のうち少なくとも一方は、複数のトランスポンダを備え、
前記複数のトランスポンダ間で制御信号のやり取りを行うこと、
を特徴とする請求項１〜６のいずれか１項に記載の通信システム。
【請求項８】
第１および第２の伝送路を介して接続された対向通信装置からの信号の入力断を検出する入力断検出手段と、
前記入力断検出手段により入力断が検出された場合に、前記入力断の検出に関する通知（以下、第１の通知とする）を、前記第１の伝送路を介して前記第２の通信装置に送信する第１の通知送信手段と、
前記対向通信装置が前記第１の通知を受信した場合に、前記対向通信装置が補償値の調整を行い、前記調整を行った補償値を用いた補償動作を行って送信した信号を受信する受信手段と、
を備え、
前記第１の通知送信手段は、前記対向通信装置が前記第１の通知を前記第１の伝送路を介して受信した場合に、送信する前記第１の通知の受信に関する通知（以下、第２の通知とする）を、前記第２の伝送路を介して受信するまで、前記第１の通知の送信を実行すること、
を特徴とする通信装置。
【請求項９】
第１および第２の伝送路を介して互いに接続された第１の通信装置と第２の通信装置を備え、前記第１の通信装置は、前記第２の伝送路を介して前記第２の通信装置からの信号を受信し、前記第２の通信装置は、前記第１の伝送路を介して前記第１の通信装置からの信号を受信するとともに、予め定められた補償値を用いた補償動作を行って前記第１の通信装置へ信号を送信するように構成された通信システムに適用可能な通信制御方法において、
前記第２の通信装置から前記第１の通信装置への信号の入力断を検出する入力断検出ステップと、
前記入力断検出ステップにおいて信号の入力断が検出された場合、前記入力断を検出した旨の通知（以下、第１の通知とする）を、前記第２の通信装置に送信する第１の通知送信ステップと、
前記第１の通知を前記第２の通信装置が前記第１の伝送路を介して受信した場合、前記第１の通知を受信した旨の通知（以下、第２の通知とする）を前記第１の通信装置に送信する第２の通知送信ステップと、
前記第１の通知を前記第２の通信装置が前記第１の伝送路を介して受信した場合、前記補償値の調整を行い、前記調整を行った補償値を用いた補償動作を行って前記第１の通信装置へ信号を送信する信号送信ステップと、
を備え、
前記第１の通知送信ステップにおいて、前記第２の通知を前記第２の伝送路を介して受信するまで、前記第２の通知装置へ前記第１通知の送信が実行されること、
を特徴とする通信制御方法。
【発明の詳細な説明】
【技術分野】
【０００１】
この発明は、補償動作を行って信号の送受信を行う通信システム、その通信システムに適用可能な通信装置および通信制御方法に関する。
【背景技術】
【０００２】
通信装置間の伝送路の状態に応じて、送信する信号の補償を行って通信を行う通信システムがある。例えば、光ファイバを用いた通信システムにおいては、光ファイバが有する波長分散による信号波形の歪みが生じることとなり、効率よく通信を行うためには、この信号波形の歪みをキャンセルするよう分散補償を行う必要がある。以下では、説明の便宜上、光通信システムを例にとり説明を行う。光通信システムにおける分散補償方式の一つとして、伝送路の送信端の光伝送装置において可変分散補償を実施する方式がある（例えば、特許文献１参照）。
【０００３】
波長分散は光ファイバ長に比例して変化する物理量である。特に、近年の４０Ｇｂ／ｓ以上の高速光ファイバ通信システムでは、ファイバ割りいれなどによるわずかな分散量の変化によっても波形が容易に歪み、通信品質が劣化してしまう。このため、敷設箇所での工事による光ファイバ伝送路の迂回や、光ファイバ伝送路の故障修理などによって、光パスが通過する光ファイバ長が変化した場合に、分散補償量を最適な値に調整する必要がある。
【先行技術文献】
【特許文献】
【０００４】
【特許文献１】特開２０１０−３４８３０号公報（図１）
【発明の概要】
【発明が解決しようとする課題】
【０００５】
例えば、光ファイバ伝送路の送信端において波長分散補償を実施する光伝送装置の従来の波長分散補償制御方式は、アウトオブバンドのネットワークを介してオペレータが調整開始を光伝送装置に指示していたために、アウトオブバンドのネットワークと光伝送装置間の通信が切断している場合やアウトオブバンドのネットワークが設置されていない場合などに調整を制御できないという問題があった。ここで、アウトオブバンドのネットワークとは、管理専用に用意したネットワークのことであり、通常、オペレータがこのネットワークを用いて各通信装置の故障等の管理を行う。また、ＷＤＭ(Wavelength Division Multiplexing)システムにおいては、オペレータが光パス単位で操作を行うため、１本の伝送路を多数の光パスが通過している場合、オペレータに負荷がかかっていた。オペレータが操作ミスし、運用中の光パスに対して調整実施を指示した場合に、運用中のパスの信号品質に影響を及ぼす恐れがあった。
【０００６】
この発明は、上記のような問題を解決するためになされたもので、信号の補償動作における補償量を調整する必要が生じた場合に、アウトオブバンドのネットワーク等の管理用ネットワークを用いず、通信装置間で調整を制御する手段の提供を目的とする。
【課題を解決するための手段】
【０００７】
この発明に係る通信システムは、第１および第２の伝送路を介して互いに接続された第１の通信装置と第２の通信装置を備え、第１の通信装置は、第２の伝送路を介して第２の通信装置からの信号を受信し、第２の通信装置は、第１の伝送路を介して、第１の通信装置からの信号を受信するとともに、予め定められた補償値を用いた補償動作を行って第１の通信装置へ信号を送信するよう構成された通信システムにおいて、第１の通信装置は、第２の通信装置から第１の通信装置への信号の入力断を検出する入力断検出手段と、入力断検出手段により入力断が検出された場合に、入力断を検出した旨の通知（以下、第１の通知とする）を、第２の通信装置に対して送信する第１の通知送信手段と、を備え、第２の通信装置は、第１の通知を第１の伝送路を介して受信した場合、第１の通知を受信した旨の通知（以下、第２の通知とする）を、第１の通信装置に通知する第２の通知送信手段、を備えるとともに、第１の通知を第１の伝送路を介して受信した場合、補償値の調整を行い、調整を行った補償値を用いた補償動作を行って第１の通信装置へ信号を送信し、第１の通知送信手段は、第１の通信装置が第２の通知を第２の伝送路を介して受信するまで、第２の通信装置に第１の通知を送信する。
【０００８】
また、この発明に係る通信装置は、第１および第２の伝送路を介して接続された対向通信装置からの信号の入力断を検出する入力断検出手段と、入力断検出手段により入力断が検出された場合に、入力断の検出に関する通知（以下、第１の通知とする）を、第１の伝送路を介して第２の通信装置に送信する第１の通知送信手段と、対向通信装置が第１の通知を受信した場合に、対向通信装置が補償値の調整を行い、調整を行った補償値を用いた補償動作を行って送信した信号を受信する受信手段と、を備え、第１の通知送信手段は、対向通信装置が第１の通知を第１の伝送路を介して受信した場合に、送信する第１の通知の受信に関する通知（以下、第２の通知とする）を、第２の伝送路を介して受信するまで、第１の通知の送信を実行する。
【０００９】
また、この発明に係る通信制御方法は、第１および第２の伝送路を介して互いに接続された第１の通信装置と第２の通信装置を備え、第１の通信装置は、第２の伝送路を介して第２の通信装置からの信号を受信し、第２の通信装置は、第１の伝送路を介して第１の通信装置からの信号を受信するとともに、予め定められた補償値を用いた補償動作を行って第１の通信装置へ信号を送信するように構成された通信システムに適用可能な通信制御方法において、第２の通信装置から第１の通信装置への信号の入力断を検出する入力断検出ステップと、入力断検出ステップにおいて信号の入力断が検出された場合、入力断を検出した旨の通知（以下、第１の通知とする）を、第２の通信装置に送信する第１の通知送信ステップと、第１の通知を第２の通信装置が第１の伝送路を介して受信した場合、第１の通知を受信した旨の通知（以下、第２の通知とする）を第１の通信装置に送信する第２の通知送信ステップと、第１の通知を第２の通信装置が第１の伝送路を介して受信した場合、補償値の調整を行い、調整を行った補償値を用いた補償動作を行って第１の通信装置へ信号を送信する信号送信ステップと、を備え、第１の通知送信ステップにおいて、第２の通知を第２の伝送路を介して受信するまで、第２の通知装置へ第１通知の送信が実行される。
【発明の効果】
【００１０】
この発明によれば、信号の補償動作における補償量を調整する必要が生じた場合に、通信装置間の通信に用いるネットワークを用いて補償量調整の制御を行うことができる。
【図面の簡単な説明】
【００１１】
【図１】本発明の実施の形態１に係る通信システムの構成図である。
【図２】本発明の実施の形態１に示すトランスポンダの動作を示すフローチャートである。
【図３】本発明の実施の形態１に示すトランスポンダの動作を示すフローチャートである。
【図４】本発明の実施の形態１に示すトランスポンダの動作を示すフローチャートである。
【図５】本発明の実施の形態１に示す通信システムにおいて使用する信号フレームの構成図である。
【図６】本発明の実施の形態１に示すトランスポンダの動作を示すフローチャートである。
【図７】本発明の実施の形態１に示す伝送路の切断／復旧の順序を示すブロック図である。
【図８】本発明の実施の形態１に示す伝送路の切断／復旧の順序を示すブロック図である。
【図９】本発明の実施の形態１に示す伝送路の切断／復旧の順序を示すブロック図である。
【図１０】本発明の実施の形態２に係る通信システムの構成図である。
【図１１】本発明の実施の形態２に示す通信システムにおいて使用する信号フレームの構成図である。
【図１２】本発明の実施の形態２に示すトランスポンダの動作を示すフローチャートである。
【図１３】本発明の実施の形態２に示すトランスポンダの動作を示すフローチャートである。
【図１４】本発明の実施の形態２に示すトランスポンダの動作を示すフローチャートである。
【図１５】本発明の実施の形態２に示すトランスポンダの動作を示すフローチャートである。
【発明を実施するための形態】
【００１２】
実施の形態１．
本発明を適用した通信システムについて、光通信システムを例にとり説明する。図１に、この発明の実施の形態１に係る通信システムの構成図を示す。ここでは、２つの通信装置（ノード）がそれぞれ２つの光伝送路により接続されている場合について示す。なお、３つ以上のノードが接続されている場合にも当然に本発明を適用することができる。図１においては省略しているが、各ノードにはそれぞれ端末等が接続されており、異なるノードに接続された端末間の通信を、各ノードおよび光伝送路を介して行う。図１において、ノード１ａはｎ個（ｎは正の整数）のトランスポンダ１１１ａ、１１２ａ、．．．、１１ｎａと合波部１２ａ、分波部１３ａ、増幅部１４ａ，１５ａから構成されており、トランスポンダ１１１ａは自ノードが送信端となる伝送路１６ａを介して他方のトランスポンダ１１１ｂに光信号を送信し、自ノードが受信端となる伝送路１６ｂを介して他方のトランスポンダ１１１ｂから光信号を受信する。トランスポンダ１１１ａは、送信機能部１１１１ａ、受信機能部１１１２ａを備えており、送信機能部１１１１ａは、分散補償機能部１１１１１ａを備えている。
【００１３】
送信機能部１１１１ａはノード１ａに接続された端末から受信したデータ信号（電気信号）を光信号に変換して出力し、この光信号に基づいて分散補償機能部１１１１１ａは、内部に記憶された可変の分散補償値を用いて分散補償、すなわち、伝送路１６ａにおいて生じる波長分散をキャンセルするような波形の信号を形成する。受信機能部１１１２ａは伝送路１６ｂを経由して受信した光信号を電気信号に変換する。また、伝送路１６ｂからの光入力の有無を判定し、ノード１ｂから送信される信号の入力断を検出する。トランスポンダ１１２ａ〜１１ｎａの構成はトランスポンダ１１１ａと同様であり、説明を省略する。
【００１４】
合波部１２ａは、トランスポンダ１１１ａ〜１１ｎａから出力された信号を合波して光多重信号を生成し、増幅部１４ａに出力する。分波部１３ａは増幅部１５ａから受信した光多重信号を分波してそれぞれトランスポンダ１１１ａ〜１１ｎａに出力する。増幅部１４ａは合波部１２ａから入力された光多重信号を増幅して伝送路１６ａに出力し、増幅部１５ａは伝送路１６ｂから入力された光多重信号を増幅して分波部１３ａに出力する。ノード１ｂも同様の構成である。
【００１５】
伝送路１６ａはノード１ａからノード１ｂ方向の光多重信号を伝送し、伝送路１６ｂはノード１ｂからノード１ａ方向の光多重信号を伝送する。伝送路１６ａ，１６ｂは、光伝送路であり、例えば光ファイバにより構成されている。なお、ここでは、ノード１ａ，ノード１ｂ間を異なる２つ伝送路を用いて接続した場合について示すが、１つの光ファイバを用いて双方向の通信を共有するような構成としてもよい。
【００１６】
次に動作について説明する。
まず通常の通信動作について説明する。ノード１ａに接続された端末（図１においては省略）において送信すべきデータが発生した場合、ノード１ａはデータが発生した端末から電気信号であるデータ信号を受信する。ノード１ａは、トランスポンダ１１１ａ内の送信機能部１１１１ａにおいて、受信した電気信号を光信号に変換し、分散補償機能部１１１１１ａに出力する。分散補償機能部１１１１１ａでは、内部に格納された分散補償値に基づいて、分散補償を行って合波部１２ａに出力する。出力された光信号は、合波部１２ａで他のトランスポンダからの光信号とともに多重化され、増幅部１４ａにおいて増幅されたあと、伝送路１６ａを介してノード１ｂへ送信される。ノード１ａから光信号を受信したノード１ｂは、増幅部１５ｂにおいて光信号を増幅し、分波部１３ｂにおいて分波した後、トランスポンダ１１１ｂに出力され、送信機能部１１１１ｂにより光信号から電気信号に変換され、データ信号の宛先に記載された端末（図１においては省略）に転送される。なお、ここでは、光信号に対して分散補償を行う構成について示すが、光信号に変換する前の電気信号に対して分散補償を行い、分散補償を行った電気信号を光信号に変換するようにしてもよい。
【００１７】
光ファイバ割りいれ等により、通信装置間の光伝送路長等が変化した場合に、分散補償量を最適な値に調整する必要がある。本発明の実施の形態１に係る通信システムでは、この分散補償値の調整を通信装置間で自律的に行うよう制御する。以下、その分散補償制御動作について説明する。
【００１８】
まず、分散補償制御の全体的な動作について図２および図３を参照して説明する。ここでは、各ノードのトランスポンダのうち、トランスポンダ１１１ａとトランスポンダ１１１ｂ間で通信を行うものとして、その動作をトランスポンダ１１１ａとトランスポンダ１１１ｂとで分けて、それぞれ図３、図２を参照して説明する。また、ノード１ａ→ノード１ｂの通信に用いられる伝送路１６ａの光ファイバ交換を行うことにより、ノード１ａにおいて分散補償値の調整を行うものとして説明する。
【００１９】
トランスポンダ１１１ｂはトランスポンダ１１１ａと通信を開始すると、トランスポンダ１１１ａへ周期的に信号を送信し、トランスポンダ１１１ａから周期的に信号を受信する（ステップＳ２１）。トランスポンダ１１１ｂは、トランスポンダ１１１ａとの通信を監視し、受信機能部１１１１ｂにおいて光信号入力断が検出された場合、対向のノード１ａの調整が必要であることを検知する（ステップＳ２２）。調整が必要であることを検知した場合は、トランスポンダ１１１ｂにおいて光信号の入力断が発生したこと、すなわち、分散補償値の調整が必要であることを対向のトランスポンダ１１１ａに通知する（ステップＳ２３）。調整が必要であることを通知されたトランスポンダ１１１ａは、調整が必要であることを認識した旨の通知をトランスポンダ１１１ｂに送信する。この時、光伝送路１６ａが復旧している場合には、トランスポンダ１１１ｂにこの通知が届くこととなるが、復旧していない場合には届かない。光伝送路１６ａが復旧し、調整が必要であることを認識した旨の通知を、トランスポンダ１１１ｂが受信した場合、通常通信状態に戻るが、受信していない場合、トランスポンダ１１１ａに調整が必要であることを通知し続ける（ステップＳ２４）。
【００２０】
一方、トランスポンダ１１１ａは、トランスポンダ１１１ｂと通信を開始すると、信号をトランスポンダ１１１ｂへ周期的に送信し、トランスポンダ１１１ｂからの信号の周期的な受信を実施する（ステップＳ２１）。トランスポンダ１１１ｂからトランスポンダ１１１ａでの調整が必要である旨の通知を受信した場合（ステップＳ３２）、光伝送路１６ａが復旧されているかを検知し、復旧されている場合は、復旧した伝送路に合わせて分散補償値を調整する（ステップＳ３３）。調整終了後、トランスポンダ１１１ａへ、トランスポンダ１１１ｂから調整が必要である旨の通知を受信したこと、すなわち、調整が必要であることを認識した旨を通知する（ステップＳ３４）。ここで、通知を送る前に分散補償値の調整を行う構成としたが、これに限ったものではなく、この通知を行った後に分散補償値を調整するような構成としてもよい。
【００２１】
以下に、図２および図３に記載の各ステップに対応する動作について詳細に説明する。ここでは、伝送路１６ａに光ファイバを割りいれる場合、すなわちノード１ａ→ノード１ｂ方向の通信での分散補償値を調整する必要がある場合について説明する。
【００２２】
まず、対向のトランスポンダの分散補償値の調整が必要であることを検知するための動作（図２中のステップＳ２２）について、トランスポンダ１１１ｂの動作を例に説明する。ここでは、受信側のトランスポンダにおける光入力断の発生を検出することにより、対向のトランスポンダ（送信側のトランスポンダ）の分散補償値の調整が必要であることを検知するようにしている。対向のトランスポンダの分散補償値の調整が必要であることの検知は、たとえば、ＯＴＮ（Optical Transport Network）に規定されている、Och-dLOS-P警報を検出することにより実施する。Och-dLOS-P警報は、自装置の光信号の入力断を検出したトランスポンダが生成する警報である。伝送路１６ａに光ファイバを割りいれる場合は、伝送路１６ａが一端切断され、トランスポンダ１１１ｂにおいてOch-dLOS-P警報が発生することなる。トランスポンダ１１１ｂはOch-dLOS-P警報が発生している間は光入力断状態であり、Och-dLOS-P警報が発生していない間は光入力がある状態と判断することができる。
【００２３】
光ファイバ割りいれ作業が完了すると、受信機能部１１１２ｂは光入力の回復を検知する。この場合、伝送路１６ａの伝送路長が変化するため、伝送路１６ａの送信端にあるトランスポンダ１１１１ａは分散補償機能部１１１１１ａの分散補償値を調整する必要がある。したがって、トランスポンダ１１１ｂは受信機能部１１１２ｂにおいて光入力断が発生し、Och-dLOS-P警報が発生すると、対向するトランスポンダ１１１ａの分散補償機能部１１１１１ａの調整が必要であると判断する。なお、対向のトランスポンダの分散補償値の調整が必要であることの検知の方法は、上述の方法に限られるものではない。
【００２４】
次に、対向のトランスポンダに分散補償値の調整が必要であることを通知する動作（図２中のステップＳ２３）について、トランスポンダ１１１ｂの動作を例に図４を参照して説明する。ここでは、図５に示す信号フレーム３を用いて通知を行うものとして説明する。図５に示す信号フレーム３は、主信号領域３０と制御信号領域３１から構成されており、主信号領域３０は通信内容の情報を格納した領域、制御信号領域３１はトランスポート制御に用いる信号を格納した領域、調整必要情報領域３１１は、対向トランスポンダ１１１ｂの分散補償機能部１１１１１ｂの分散補償値の調整が「必要」か「不要」かを示す領域、調整必要認識情報領域３１２は、トランスポンダ１１１ａが分散補償機能部１１１１１ａの調整が必要であることを認識しているか否かを対向のトランスポンダ１１１ｂに通知する領域、その他の制御情報領域３１３は調整必要情報領域３１１、調整必要認識情報領域３１２が示す情報以外の制御情報を示す領域である。なお、ここでは、各領域の記載内容を「  」で表すものとし、例えば、調整必要情報領域３１１が「必要」、のように表記するものとする。
【００２５】
トランスポンダ１１１ｂは、通常の通信状態にある場合は、信号フレーム３の調整必要情報領域３１１を「不要」にしてこの信号をトランスポンダ１１１ａへ送信する（ステップＳ４１）。また、トランスポンダ１１１ｂは、トランスポンダ１１１ａとの通信状態を監視し、受信機能部１１１２ｂでの光入力断を検出する（ステップＳ４２）。光ファイバ割りいれのために伝送路１６ａが切断されると、受信機能部１１１２ｂは光入力断を検出し、トランスポンダ１１１ｂは送信する信号フレーム３の調整必要情報領域３１１を「必要」にし（ステップＳ４３）、伝送路１６ｂを介してこの信号フレームを対向のトランスポンダ１１１ａへ送信する。また、受信機能部１１１２ｂでの光入力が回復しているか否かを判定する（ステップＳ４４）。
【００２６】
光入力が回復している場合、トランスポンダ１１１ｂは、トランスポンダ１１１ａから受信した信号フレーム３の調整必要認識情報領域３１２が「認識」であるか否かを判定する（ステップＳ４５）。トランスポンダ１１１ｂでは、トランスポンダ１１１ａから受信する信号フレーム３の調整必要認識情報領域３１２が、後述するように「認識」となるまで、送信信号フレーム３の調整必要情報領域３１１を「必要」にした状態で、トランスポンダ１１１ａへ信号を送信し続ける。調整必要認識情報領域３１２が「認識」となった場合にだけ通常の通信状態へ移行し、送信信号フレーム３の調整必要情報領域３１１を「不要」にする。以上のように、トランスポンダ１１１ｂは、対向のトランスポンダ１１１ａから、調整が必要であることを認識した旨の通知を受信するまで、トランスポンダ１１１ａに調整が必要であることを通知し続ける構成となっている。なお、この通知は断続的なものであっても連続的なものであっても、本発明においては実質的な変わりはない。
【００２７】
対向のトランスポンダへ、自トランスポンダの分散補償値調整が必要である旨を認識したことを通知する動作について、トランスポンダ１１１ａの動作を例に図６を参照して説明する。トランスポンダ１１１ａはトランスポンダ１１１ｂとの間で、通常の通信を実施中は、トランスポンダ１１１ａは送信する信号フレーム３の調整必要認識情報領域３１２を「未」にして信号を送信し（ステップＳ６１）、トランスポンダ１１１ａから受信した信号フレーム３の調整必要情報領域３１１が「必要」であるか否かを判定する（ステップＳ６２）。調整必要情報領域３１１が「必要」の場合は、トランスポンダ１１１ａは送信する信号フレーム３の調整必要認識情報領域３１２を「認識」にし（ステップＳ６３）、受信した信号フレーム３の調整必要情報領域３１１が「不要」か否かを判定する（ステップＳ６４）。調整必要情報領域３１１が「不要」である場合は通常の通信状態へ移行し、送信する信号フレーム３の調整必要認識情報領域を「未」にする。以上のように、トランスポンダ１１１ａは、トランスポンダ１１１ｂから分散補償値の調整が必要である旨の通知を受信した場合、その通知の内容を認識したことをトランスポンダ１１１ｂに通知する構成となっている。
【００２８】
トランスポンダ１１１ａにおける調整動作（図３中のステップＳ３３）は、たとえば次のように実施する。トランスポンダ１１１ａは分散補償機能部１１１１１ａの分散補償値を変更すると、対向のトランスポンダ１１１ｂは受信機能部１１１２ｂでの受信信号品質の測定結果を信号フレーム３のその他の制御情報領域３１３に挿入してトランスポンダ１１１ａに通知する。トランスポンダ１１１ａは分散補償機能部１１１１１ａの分散補償値をいくつか変更し、それぞれの場合における受信機能部１１１２ｂでの信号品質を比較して、最適な分散補償値を決定する。なお、分散補償値の調整の方法は、上述した方法に限ったものではない。
【００２９】
実施の形態１に係る通信システムは、以上のような構成をしているため、伝送路の送信端ノードにある分散補償機能部の分散補償値を調整する必要が生じた際、調整が必要であることを送信端ノードのトランスポンダに、通信装置間の伝送路のみを用いて自律的に調整を開始することが可能となり、アウトオブバンドのネットワークが設置されていない場合でも、分散補償値の調整を制御することが可能となる。
【００３０】
ここでは、通知する内容を信号フレームの制御信号領域に記載して送信することにより通知する構成について示したが、通知方法としてはこれに限ったものではない。例えば、各通知内容に対応する光出力をＯＮ／ＯＦＦのパターンを予め定めておき、その定められたパターンで自ノードの光出力をＯＮ／ＯＦＦして、対向ノードに通知する内容を伝達するようにしても良い。これにより、分散補償値の調整が行われていない、波形が崩れた状態で通知を行う場合にも対向ノードに通知することできる。
【００３１】
また、ＯＴＮでは、受信信号の光入力断が発生している際に送信ノードに送り返す、OTU-aBDIという警報が規定されている。しかし当該警報は、受信端での光入力断のみならず、接続試験に用いるＴＴＩ（Trail Trace Indicator）値の誤設定時など、光ファイバの切断以外の場合にも発生してしまうため、対向ノードにおける光入力断の検出のために本警報を用いると不要な調整を実施する可能性がある。本発明のように、受信機能部１１１２ｂが検出した光入力断（Och-dLOS-P警報）によって、対向のトランスポンダ１１１ａの分散補償機能部１１１１１ａの調整が必要であると判断し、その結果を、信号フレーム３の調整必要情報領域３１１に格納して、トランスポンダ１１１ａに通知するので、分散補償部１１１１１ａは伝送路１６ａが切断された場合に調整を実施し、不要な調整を避けることが可能となる。
【００３２】
ここでは、通信装置間の通信に用いる伝送路として光伝送路、特に、光ファイバアを用いた例について示したが、これに制限されるものではなく、例えば、同軸線路等を用いた場合であっても同様の効果が得られる。
【００３３】
また、実施の形態１に係る通信システムでは、次のような効果も得られる。
２つの通信装置（ノード１ａ，１ｂ）が、２つの伝送路１６ａ，１６ｂで接続される場合、伝送路１６ａ，１６ｂがそれぞれ切断、復旧する順番としては以下の（ア）〜（ウ）の３つのパターンが考えられ、各パターンについて図７〜９にその切断／復旧の順序を示すブロック図を示す。なお、ノード１ａとノード１ｂは同様の通信装置であり、ここでは、伝送路１６ａが先に切断される場合について説明するが、伝送路１６ｂから切断される場合であっても実質的に伝送路１６ａが先に切断される場合と変わらず、ここでは説明を省略する。
（ア）伝送路１６ａが切断→伝送路１６ａが復旧（図７）
（イ）伝送路１６ａが切断→伝送路１６ｂが切断→伝送路１６ａが復旧→伝送路１６ｂが復旧（図８）
（ウ）伝送路１６ａが切断→伝送路１６ｂが切断→伝送路１６ｂが復旧→伝送路１６ａが復旧（図９）
図７〜９では、説明の便宜上、各ノードで１つのトランスポンダのみを記載しており、他のトランスポンダについては省略している。また、図７〜９においては、各伝送路の切断・復旧および各ノード警報の発生を時系列で上から下の順に記載している。
【００３４】
各パターンについて、本発明の実施の形態１に係る通信システムを適用せず、通信に用いるネットワークを用いて自律的に分散補償を制御するようにした場合の動作について説明する。
まず、図７に示す上記（ア）の場合について説明する。（ア）では、まず伝送路１６ａが切断され、光信号の入力の途絶えたノード１ｂのトランスポンダ（TPND）でOch-dLOS-P警報が発生し、伝送路１６ｂを介して伝送路１６ａの切断が生じたことを通知する。これにより、ノード１ａにおいて、OTU-dBDI警報が発生する。ここで、OTU-dBDI警報は、受信ノード（ノード１ｂ）でOch-LOS-Pなどの警報を検出した際、警報が発生したことを受信ノードから送信ノードに通知し、その通知を受け取った送信ノードで発出する警報である。これにより、ノード１ａでは、自ノードが分散補償値の調整が必要であることを認識することできる。一方、光伝送路１６ｂでは切断が発生していないので、ノード１ｂでは分散補償値の調整は必要ではない。
【００３５】
図８に示す上記（イ）の場合について説明する。この場合、まず、伝送路１６ａが切断され、上記（ア）の場合と同様にノード１ｂのトランスポンダにおいて、Och-dLOS-P警報が発生し、送信ノードに転送され、送信ノードで発出する警報（OTU-dBDI）が発生し、自ノードの分散補償値の調整が必要であることを認識できる。
【００３６】
次に、伝送路１６ｂが切断されることにより、ノード１ａにおいてもOch-dLOS-P警報が発生する。この場合、伝送路１６ａは、切断された状態であるため、Och-dLOS-P警報が発生したことを、ノード１ｂに通知することはできない。次に、伝送路１６ａが復旧し、この時点でノード１ａにおいてOch-dLOS-P警報は発生しているため、ノード１ａの送信機能部からOch-dLOS-P警報が発生したことをノード１ｂに通知し、ノード１ｂでも自ノードの分散補償値を調整する必要があることを認識することができる。したがって、ノード１ａおよびノード１ｂは、自ノードが分散補償値を調整する必要のあることを認識することができる。
【００３７】
図９に示す上記（ウ）の場合について示す。この場合、（イ）の場合と同様に、伝送路１６ａが切断され、ノード１ａは自ノードの分散補償値を調整する必要があることを認識することができる。また、伝送路１６ｂが切断され、ノード１ａでOch-dLOS-P警報が発生した場合、この場合、伝送路１６ａは、切断された状態であるため、Och-dLOS-P警報が発生したことを、ノード１ｂに通知することはできない。次に、伝送路１６ｂが復旧し、続いて伝送路１６ａが復旧する。この場合、伝送路１６ｂが先に復旧しているため、伝送路１６ａの復旧時ではノード１ａにおいてOch-dLOS-P警報は発生していないため、ノード１ｂに対しては、伝送路１６ｂの切断したことの通知が行われず、ノード１ｂでは、実際には切断が発生しているためノード１ｂにおける分散補償値の調整が必要となるが、ノード１ｂでは認識ができない。したがって、ノード１ａでは自ノードの分散補償値を調整する必要があることを認識することができるのに対して、ノード１ｂでは、自ノードの分散補償値を調整する必要があるが、それを認識できないという問題が生じる。
【００３８】
本発明の実施の形態１に係る通信システムでは、トランスポンダ１１１ａが分散補償機能部１１１１１ａにおける調整の必要性を認識し、送信する信号フレーム３の調整必要認識情報領域３１２を「認識」に変更するまで、トランスポンダ１１１ｂはトランスポンダ１１１ａに調整必要であることを通知し続けるので、図９に示す上記（ウ）の場合のように、伝送路１６ａの切断中に伝送路１６ｂの切断および復旧された場合でも、トランスポンダ１１１ｂは分散補償機能部１１１１ｂの調整が必要であることを知ることができる。したがって、実施の形態１に係る通信装置では、図９に示す上記（ウ）のような場合であっても、各ノードが分散補償値の調整が必要であることを通知および認識することでき、より適切に分散補償値調整の制御を行うことができるという効果が得られる。
【００３９】
実施の形態２．
実施の形態１では、２つのノードが接続され、１つのトランスポンダの送信機能部と受信機能部が、対向する光ファイバ伝送路の送信側と受信側に接続される場合について示したが、実施の形態２では、３つのノードが接続され、１つのトランスポンダの送信機能部と受信機能部が同方向の光ファイバ伝送路に接続される場合について示す。
【００４０】
図１０に、実施の形態２に係る通信システムの構成図を示す。図１０において、ノード１ａおよびノード１ｂは図１と同様のノードであり説明を省略する。ノード６は、トランスポンダ６１１ａ〜６１ｎａ、６１１ｂ〜６１ｎｂ、増幅部６２ａ、６２ｂ、６６ａ、６６ｂ、分波部６３ａ、６３ｂ、合波部６４ａ、６４ｂ、通信路６８１ａ〜６８ｎａ、６８１ｂ〜６８ｎｂから構成されており、増幅部６２ａは伝送路６６ａから入力された光多重信号を増幅して分波部６３ａに出力する。分波部６３ａは増幅部６２ａから入力された光多重信号を分波してトランスポンダ６１１ａ〜６１ｎａに入力する。増幅部６２ｂ、分波部６３ｂについても同様である。ノード６は、ノード１ａからノード１ｂへ送信される信号の中継を行うものであり、以下で、適宜、中継ノードと呼ぶこととする。
【００４１】
トランスポンダ６１１ａは分波部６３ａから受信した光信号を電気信号に変換し、電気信号を３Ｒ（Re-amplification：増幅、Re-timing：タイミング再生、Re-shaping：波形整形）再生した後に再度光信号に変換して合波部６４ａへ出力する。すなわち、受信機能部６１１２ａは分波部６３ａから入力された光信号を電気信号に変換して３Ｒ再生した後に送信機能部６１１１ａへ送信する。また、増幅部６２ａおよび分波部６３ａを経由した伝送路６６ａからの光入力の有無を判定し、制御信号７１を、通信路６８１ａを経由してトランスポンダ６１１ｂの送信機能部６１１１ｂに送信する。送信機能部６１１１ａは、受信機能部６１１２ａから受信した電気信号を光信号に変換して合波部６４ａに出力する。分散補償機能部６１１１１ａは、可変の分散補償値が格納されており、この分散補償値に基づいて伝送路６７ａにおいて生じる波長分散をキャンセルするような信号を生成する。通信路６８１ａはトランスポンダ６１１ａの受信機能部６１１２ａ制御信号７１をトランスポンダ６１１ｂの送信機能部６１１１ｂへ送信する際に用いる。他のトランスポンダ６１２ａ〜６１ｎａ，６１１ｂ〜６１ｎｂについても同様である。
【００４２】
図１０に示す構成において、中継ノード内に格納され、通信の方向が対向するトランスポンダ６１１ａとトランスポンダ６１１ｂは「ペア」のトランスポンダと呼ぶものとする。トランスポンダ６１２ａ〜６１ｎａ、６１２ｂ〜６１ｎｂについても同様である。
【００４３】
合波部６４ａは、トランスポンダ６１１ａ〜６１ｎａから入力された光信号を多重した光多重信号を増幅部６６ａへ出力し、増幅部６５ａは、合波部６４ａから入力された光多重信号を増幅する。合波部６４ｂ、増幅部６５ｂについても同様である。伝送路６６ａはトランスポンダ１１１ａからトランスポンダ６１１ａへ光信号を伝送させ、伝送路６７ａはトランスポンダ６１１ａからトランスポンダ１１１ｂへ光信号を伝送させる。また、同様に、伝送路６６ｂはトランスポンダ１１１ｂからトランスポンダ６１１ａへ光信号を伝送させ、伝送路６ｂａはトランスポンダ６１１ａからトランスポンダ１１１ａへ光信号を伝送させる。
【００４４】
図１１は、トランスポンダ６１１ａの受信機能部６１１２ａがトランスポンダ１１１ａから受信した制御信号３１と受信機能部６１１２ａで検出した光入力断の情報をトランスポンダ６１１ｂに送信する際に用いる制御信号フレームフォーマットである。トランスポンダ６１１ｂの受信機能部６１１２ｂも同様に、この制御信号フレームフォーマットを用いてトランスポンダ１１１ｂから受信した制御信号３１と受信機能部６１１２ｂで検出した光入力断の情報をトランスポンダ６１１ａに転送する。トランスポンダ６１２ａ〜６１ｎａ、６１１ｂ〜６１ｎｂも同様の制御信号７１を用いてペアとなるトランスポンダとの情報のやりとりを行う。
【００４５】
図１１において、制御信号７１はトランスポート制御に用いる信号である。調整必要情報領域７１１は、転送先のトランスポンダ６１１ｂの分散補償機能部６１１１１ｂの分散補償値の調整が「必要」か「不要」かを示す領域、調整必要認識情報領域７１２は、対向のトランスポンダ１１１ａが、分散補償機能部１１１１１ａの分散補償値の調整が必要であることを通知され、その旨を認識しているか否かを通知する領域、光入力断検出情報領域７１３は、トランスポンダ６１１ａの受信機能部６１１２ａにおいて光入力断を検出しているか否かを示す領域、その他の制御情報領域７１４は調整必要情報領域７１１、調整必要認識情報領域７２１が示す情報以外の制御情報を示す領域である。
【００４６】
動作について説明する。
まず通常の通信動作について説明する。ノード１ａに接続された端末（図１０においては省略）において送信すべきデータが発生し、ノード１ａはデータが発生した端末から電気信号であるデータ信号を受信する。ノード１ａは、トランスポンダ１１１ａ内の送信機能部１１１１ａにおいて、受信した電気信号を光信号に変換し、分散補償機能部１１１１１ａに出力する。分散補償機能部１１１１１ａでは、内部に格納された分散補償値に基づいて、分散補償を行って合波部１２ａに出力する。出力された光信号は、合波部１２ａで他のトランスポンダからの光信号とともに多重化され、増幅部１４ａにおいて増幅されたあと、伝送路６６ａを介してノード６へ送信される。なお、ここでは、光信号に対して分散補償を行う構成について示すが、光信号に変換する前の電気信号に対して分散補償を行い、分散補償を行った電気信号を光信号に変換するようにしてもよい。
【００４７】
ノード１ａから光信号を受信したノード６は、増幅部６２ａにおいて光信号を増幅し、分波部６３ａにおいて分波した後、トランスポンダ６１１ａに出力される。トランスポンダ６１１ａ内の受信機能部６１１１ａにおいて、電気信号への変換および３R再生が行われ、送信機能部６１１１ａにおいて再度光信号に変換された後、分散補償機能部６１１１１ａにより分散補償処理が行われ、合波部６４ａへ出力される。出力された光信号は、合波部６４ｂで他のトランスポンダからの光信号とともに多重化され、増幅部１４ａにおいて増幅されたあと、伝送路６７ａを介してノード１ｂへ送信される。ノード１ａから光信号を受信したノード１ｂは、増幅部１５ｂにおいて光信号を増幅し、分波部１３ｂにおいて分波した後、トランスポンダ１１１ｂに出力され、送信機能部１１１１ｂにより光信号から電気信号に変換され、データ信号の宛先に記載された端末（図１０においては省略）に転送される。
【００４８】
次に、分散補償制御の全体的な動作について説明する。ここでは、伝送路６６ａに光ファイバを割りいれる場合と、伝送路６７ａに光ファイバを割りいれる場合とに分けて説明を行う。
【００４９】
まず、伝送路６６ａに光ファイバを割りいれる場合について説明する。この場合、ノード１ａのトランスポンダ１１１ａの動作は、実施の形態１に示す場合と同様であり、図３に示すとおりである。また、ノード６についても、実施の形態１に示すノード１ｂと場合と同様の動作を行い、図２に示すとおりである。
以下に、実施の形態２に係る通信システムおける、図３および図２に記載の各ステップに対応する動作について詳細に説明する。
【００５０】
対向のトランスポンダの分散補償値の調整が必要であることを検知する動作について、トランスポンダ６１１ａの動作を例に説明する。伝送路６６ａに光ファイバを割りいれる場合は、伝送路６６ａが切断される。このとき受信機能部６１１２ａにおいて光入力断を検出し、トランスポンダ６１１ａにおいてOch-dLOS-P警報が発生する。光ファイバ割りいれ作業が完了すると、受信機能部６１１２ａにおける光入力が回復し、Och-dLOS-P警報は発生しなくなる。この場合、伝送路６６ａの伝送路長が変化するため、伝送路６６ａの送信端にあるトランスポンダ１１１ａは分散補償機能部１１１１１ａの分散補償値を調整する必要がある。したがって、トランスポンダ６１１ａは、実施の形態１に示す場合と同様に受信機能部６１１２ａにおいて光入力断が発生し、Och-dLOS-P警報が発生すると、トランスポンダ１１１ａの分散補償機能部１１１１１ａの調整が必要であると判断する。調整が必要であると判断した場合、光入力断検出情報領域７１３を「発生」にして、制御信号７１をトランスポンダ６１１ｂへ送信する。
【００５１】
次に、対向のトランスポンダに分散補償値の調整が必要であることを通知する動作について、トランスポンダ６１１ｂの動作を例に図１２を参照して説明する。トランスポンダ６１１ｂは、通常の通信状態では、調整必要情報領域３１１を「不要」にして信号フレーム３をトランスポンダ１１１ａに送信する（ステップＳ１２１）。また、トランスポンダ６１１ａの受信機能部６１１２ａから受信した制御信号７１の光入力断検出情報領域７１３が「発生」か否かを判定する（ステップＳ１２２）。受信機能部６１１２ａにおいて光入力断を検出し、制御信号７１の光入力断検出情報領域７１３が「発生」となっている場合は、トランスポンダ６１１ｂは調整必要情報領域３１１を「必要」にして、信号フレーム３をトランスポンダ１１１ａに送信する（ステップＳ１２３）。
【００５２】
トランスポンダ６１１ｂは、トランスポンダ６１１ａの受信機能部６１１２ａから受信した制御信号７１の調整必要認識情報領域７１２が「認識」か否かを判定する（ステップＳ１２４）。トランスポンダ６１１ａが、後述のようにトランスポンダ１１１ａから、分散補償値調整が必要である旨を認識した旨の通知を受信せず、調整必要認識情報領域７１２が「未」の場合は、トランスポンダ６１１ｂは、調整必要情報領域３１１を「必要」にした状態で、信号フレーム３をトランスポンダ１１１ａに送信し続ける。調整必要認識情報領域７１２が「認識」となった場合には、通常の通信状態に移行する。以上のように、トランスポンダ６１１ｂは、トランスポンダ１１１ａから分散補償値の調整が必要である旨の通知を受信した場合、その通知の内容を認識したことをトランスポンダ１１１ａに通知する構成となっている。
【００５３】
トランスポンダ１１１ａにおける自トランスポンダの分散補償値調整が必要である旨を認識したことを通知する動作および調整動作については、実施の形態１と同様であり説明を省略する。
【００５４】
次に、伝送路６７ａに光ファイバを割りいれる場合について説明する。この場合、ノード１ｂのトランスポンダ１１１ｂの動作は、実施の形態１に示すノード１ｂと同様であり、図２に示すとおりである。また、ノード６についても、実施の形態１に示すノード１ａと場合と同様の動作を行い、図３に示すとおりである。
以下に、実施の形態２に係る通信システムにおける、図２および図３に記載の各ステップに対応する動作について詳細に説明する。
【００５５】
トランスポンダ１１１ｂが、対向のトランスポンダ（トランスポンダ６１１ｂ）の分散補償値の調整が必要であることを検知するための動作および分散補償値の調整が必要であることをトランスポンダ６１１ｂに通知する動作は、実施の形態１と同様であり、説明を省略する。
【００５６】
対向のトランスポンダへペアとなるトランスポンダが、分散補償値調整が必要である旨を認識したことを通知する動作について、トランスポンダ６１１ａの動作を例に図１３を参照して説明する。トランスポンダ６１１ａの送信機能部６１１１ａは、通常の通信状態では、調整必要認識情報領域３１２を「未」にして、トランスポンダ１１１ｂへ信号フレーム３を送信する（ステップＳ１３１）。また、受信機能部６１１２ｂから受信した制御信号７１の調整必要情報領域７１１が「必要」か否かを判定する（ステップＳ１３２)。トランスポンダ１１１ｂから、自ノードの分散補償値の調整が必要であることを通知されて調整必要情報領域７１１が「必要」となっている場合、トランスポンダ６１１ａの送信機能部６１１１ａは、内部に格納された分散補償値の調整を実施した後、調整必要認識情報領域３１２を「認識」にし信号フレーム３を送信し(ステップＳ１３３)、トランスポンダ６１１ｂの受信機能部６１１２ｂから受信した制御信号７１の調整必要情報領域７１１が「不要」となった場合、通常通信状態に移行する(ステップＳ１３４)。
【００５７】
トランスポンダ６１１ａにおける調整動作は、実施の形態１に示すトランスポンダ１１１ａと同様であり、説明を省略する。
【００５８】
実施の形態２に係る通信システムは、ノード６におけるペアとなるトランスポンダ間で制御信号のやりとりを行う点で、実施の形態１に係る通信システムとは異なる。ここでは、この制御信号のやりとりに関して、対向のトランスポンダから受信した信号フレーム３の調整必要情報領域３１１および調整必要認識情報領域３１２の情報を、ペアのトランスポンダに転送する動作について、トランスポンダ６１１ａの動作を例に図１４を参照して説明する。
【００５９】
トランスポンダ６１１ａの受信機能部６１１２ａは、通常の通信状態では、調整必要情報領域７１１を「不要」にし（ステップＳ１４１）、また、調整必要認識情報領域７１２を「未」にしてトランスポンダ６１１ｂに制御信号７１を送信する（ステップＳ１４２）。また、トランスポンダ６１１ａの受信機能部６１１２ａは、受信した信号フレーム３の調整必要情報領域３１１が「必要」か否かを判定し（ステップＳ１４３）、「不要」の場合はトランスポンダ６１１ａの受信機能部６１１２ａは送信する制御信号７１の調整必要情報領域７１１を「不要」にする（ステップＳ１４４）。また、調整必要情報領域３１１が「必要」の場合は、トランスポンダ６１１ａの受信機能部６１１２ａは送信する制御信号７１の調整必要情報領域７１１を「必要」にする（ステップＳ１４５）。
【００６０】
トランスポンダ６１１ａの受信機能部６１１２ａは、受信した信号フレーム３の調整必要認識情報町域３１２が「認識」か否かを判定し（ステップＳ１４６）、「未」であればトランスポンダ６１１ａの受信機能部６１１２ａは送信する制御信号７１の調整必要認識情報町域７１２を「未」にする（ステップＳ１４７）。また、調整必要認識情報町域３１２が「認識」であればトランスポンダ６１１ａの受信機能部６１１２ａは送信する制御信号７１の調整必要認識情報領域７１１を「認識」にする（ステップＳ１４８）。
【００６１】
また、送信する制御信号７１の光入力断検出情報領域７１３の変更処理について、トランスポンダ６１１ａの動作を例に、図１５を参照して説明する。
【００６２】
トランスポンダ６１１ａの受信機能部６１１２ａは、通常の通信状態では、送信する制御信号７１の光入力断検出情報領域７１３を「未」にする（ステップＳ１５１）。トランスポンダ６１１ａの受信機能部６１１２ａは受信する光入力断が発生しているか否かを判定し（ステップＳ１５２）、光入力断が発生した場合はトランスポンダ６１１ａの受信機能部６１１２ａは送信する制御信号７１の光入力断検出情報領域７１３を「検出」にする（ステップＳ１５３）。また、トランスポンダ６１１ａの受信機能部６１１２ａは受信する光入力が回復しているか否かを判定し（ステップＳ１５４）、回復している場合は通常の通信状態へ移行する。
トランスポンダ６１２ａ〜６１ｎａ、６１１ｂ〜６１ｎｂも同様に動作する。
【００６３】
トランスポンダ６１１ａ、６１１ｂの対向トランスポンダが、トランスポンダ１ａまたはトランスポンダ１ｂの場合について説明したが、本方式は、対向のトランスポンダが、トランスポンダ６１１ａと同様の構成のトランスポンダの場合でも適用される。
【００６４】
実施の形態２に係る通信システムは、以上のような構成をしているため、実施の形態１の場合と同様に、通信装置間の通信に用いるネットワークのみを用いて補償量調整の制御を行うことができる。また、中継ノード内のペアとなるトランスポンダ間で制御信号のやり取りを行うことにより、中継ノードを介して通信を行うような場合においても、適切に補償量調整の制御を行うことができる。
【符号の説明】
【００６５】
１ａ，１ｂ  ノード、３  信号フレーム、６  ノード、１２ａ，１２ｂ  合波部、１３ａ，１３ｂ  分波部、１４ａ，１４ｂ  増幅部、１５ａ，１５ｂ  増幅部、１６ａ，１６ｂ  伝送路、３０  主信号領域、３１  制御信号領域、６２ａ，６２ｂ  合波部、６３ａ，６３ｂ  分波部、６４ａ，６４ｂ  増幅部、６５ａ，６５ｂ  増幅部、６６ａ，６６ｂ  伝送路、６７ａ，６７ｂ  伝送路、６８１ａ〜６８ｎａ，６８１ｂ〜６８ｎｂ  通信路、３１１  調整必要情報領域、３１２  調整必要認識情報領域、３１３  その他の制御情報領域、１１１ａ〜１１ｎａ，１１１ｂ〜１１ｎｂ  トランスポンダ、１１１１ａ〜１１ｎ１ａ，１１１１ｂ〜１１ｎ１ｂ  送信機能部、１１１２ａ〜１１ｎ２ａ，１１１１ｂ〜１１ｎ２ｂ  受信機能部、１１１１１ａ〜１１ｎ１１ａ，１１１１１ｂ〜１１ｎ１１ｂ  分散補償機能部、６１１ａ〜６１ｎａ，６１１ｂ〜６１ｎｂ  トランスポンダ、６１１１ａ〜６１ｎ１ａ，６１１１ｂ〜６１ｎ１ｂ  送信機能部、６１１２ａ〜６１ｎ２ａ，６１１１ｂ〜６１ｎ２ｂ  受信機能部、６１１１１ａ〜６１ｎ１１ａ，６１１１１ｂ〜６１ｎ１１ｂ  分散補償機能部
【図１】
0005678735.tif 000002
【図２】
0005678735.tif 000003
【図３】
0005678735.tif 000004
【図４】
0005678735.tif 000005
【図５】
0005678735.tif 000006
【図６】
0005678735.tif 000007
【図７】
0005678735.tif 000008
【図８】
0005678735.tif 000009
【図９】
0005678735.tif 000010
【図１０】
0005678735.tif 000011
【図１１】
0005678735.tif 000012
【図１２】
0005678735.tif 000013
【図１３】
0005678735.tif 000014
【図１４】
0005678735.tif 000015
【図１５】
0005678735.tif 000016